(57)【特許請求の範囲】
【請求項１】
ベースを含み、前記ベースの上側には本体がスライドできるように連結され、前記本体の中には空き空間が設けられ、前記空き空間の上側には伝動空間が設けられ、前記ベースの上側には伝動装置が設けられ、前記伝動装置は前記本体の上側に固定的に取り付けられた固定軸を含み、前記固定軸には前記本体の上表面とスライドできるように連結されたプレートが回転できるように連結され、前記プレートの左側には扇形歯車が固定的に設けられ、前記伝動空間の後壁には後側モーターが固定的に設けられ、前記後側モーターの前側には前記伝動空間の前壁と回転できるように連結されたモーター軸が伝動できるように連結され、前記モーター軸には前記扇形歯車と噛み合ったねじ山歯車が固定的に設けられ、前記プレートの中には貫通空間が設けられ、前記扇形歯車の中には固定空間が設けられ、前記固定空間の左側にはばね空間が設けられ、前記ばね空間の頂壁には頂壁空間が設けられ、前記ばね空間と前記貫通空間との間には加工対象物を固定する固定装置が設けられ、前記ベースの中には調整空間が設けられ、前記調整空間の左右両側には液圧空間が位置的に対称に設けられ、二つの前記液圧空間が連通空間によって連通され、前記調整空間と前記連通空間との間には前記本体の移動を制御することで異なる長さの加工対象物の加工に対応できる調整装置が設けられていることを特徴とする円弧フライス加工補助装置。
【請求項２】
前記固定装置は、前記貫通空間の底壁に固定的に取り付けられた伝動モーターを含み、前記伝動モーターの上側には前記貫通空間の頂壁と回転できるように連結された歯車軸が伝動できるように連結され、前記歯車軸には歯車が固定的に設けられ、前記貫通空間の左右両壁には前記歯車と噛合したラックが位置的に対称に且つスライドできるように連結され、左側の前記ラックの後側には前記プレートの上表面とスライドできるように連結された後側スライド板が固定的に設けられ、右側の前記ラックの下側には前記プレートの上表面とスライドできるように連結された前側スライド板が固定的に設けられ、前記固定空間の内壁には昇降板がスライドできるように連結され、前記昇降板の底面と前記固定空間の底壁とが支持ばねによって連結され、前記昇降板の上側には前記固定空間の頂壁と前記扇形歯車の頂面との間でスライドする上側固定ブロックが固定的に設けられ、前記上側固定ブロックの下側には摩擦力を増加する摩擦部品が設けられ、前記ばね空間の右壁と前記固定空間の左壁との間には第一固定ブロックがスライドできるように連結され、前記第一固定ブロックの左側には前記頂壁空間を貫通し且つ前記ばね空間の底壁とスライドできるように連結されたばね板が固定的に設けられ、前記ばね板の左側面と前記ばね空間の左壁とが圧縮ばねによって連結されていることを特徴とする請求項１に記載の円弧フライス加工補助装置。
【請求項３】
前記調整装置は、前記本体の底面に固定的に取り付けられ且つ前記調整空間の底壁とスライドできるように連結された主スライド板を含み、前記主スライド板には前記液圧空間の片側壁と前記調整空間の片側壁との間にスライドできるように連結された調整軸が位置的に左右対称に固定的に設けられ、各前記調整軸の片側には前記液圧空間の内壁とスライドできるように連結された側スライドブロックが固定的に設けられ、前記連通空間の中には液圧モーターが固定的に設けられていることを特徴とする請求項１に記載の円弧フライス加工補助装置。
【請求項４】
前記調整空間の下側には底部空間が設けられ、前記底部空間の左右壁にはねじ山軸が回転できるように連結され、前記ねじ山軸が左方へ延びて前記底部空間の左壁を貫通して前記ベースの左面と回転できるように連結され、前記ねじ山軸の左側には前記ねじ山軸を回せるハンドルが固定的に設けられ、前記ねじ山軸において前記底部空間の中には位置的に左右対称となった二枚の前記ねじ山板がねじ山によって連結されていることを特徴とする請求項１に記載の円弧フライス加工補助装置。
【請求項５】
二枚の前記ねじ山板のねじ山が互いに逆であることを特徴とする請求項４に記載の円弧フライス加工補助装置。
【発明の詳細な説明】
【技術分野】
【０００１】
本願発明はフライス加工分野を取り上げて、具体的には円弧フライス加工補助装置である。
【背景技術】
【０００２】
現在、社会の発展に伴い、製造業も急速な発展を遂げている。フライス加工は加工の重要な部分である。自動化程度は向上しているが、一部の特殊加工対象物はまだ、手動でのフライス加工が必要である。特に、円弧にスライス加工する作業は従来、熟練労働者が自分のスキルによって行われるが、手動操作のみでは円弧の精度が高くなく、速度も遅い。現在市販されている一部の補助装置は、一定の長さの加工対象物しか加工できないため、適応性が低い。したがって、円弧フライス加工補助装置を発明する必要がある。
【先行技術文献】
【特許文献】
【０００３】
【特許文献１】中国特許出願公開第１０３２３１０９８号明細書
【発明の概要】
【発明が解決しようとする課題】
【０００４】
本願発明の目的は円弧フライス加工補助装置を提供し、それは上記の現在の技術中の問題を解決できる。
【課題を解決するための手段】
【０００５】
上記の課題を解決するため、本願発明は以下の技術プランを採用する：本願発明である円弧フライス加工補助装置は、ベースを含み、前記ベースの上側には本体がスライドできるように連結され、前記本体の中には空き空間が設けられ、前記空き空間の上側には伝動空間が設けられ、前記ベースの上側には伝動装置が設けられ、前記伝動装置は前記本体の上側に固定的に取り付けられた固定軸を含み、前記固定軸には前記本体の上表面とスライドできるように連結されたプレートが回転できるように連結され、前記プレートの左側には扇形歯車が固定的に設けられ、前記伝動空間の後壁には後側モーターが固定的に設けられ、前記後側モーターの前側には前記伝動空間の前壁と回転できるように連結されたモーター軸が伝動できるように連結され、前記モーター軸には前記扇形歯車と噛み合ったねじ山歯車が固定的に設けられ、前記プレートの中には貫通空間が設けられ、前記扇形歯車の中には固定空間が設けられ、前記固定空間の左側にはばね空間が設けられ、前記ばね空間の頂壁には頂壁空間が設けられ、前記ばね空間と前記貫通空間との間には加工対象物を固定する固定装置が設けられ、前記ベースの中には調整空間が設けられ、前記調整空間の左右両側には液圧空間が位置的に対称に設けられ、二つの前記液圧空間が連通空間によって連通され、前記調整空間と前記連通空間との間には前記本体の移動を制御することで異なる長さの加工対象物の加工に対応できる調整装置が設けられている。
【０００６】
優選の技術プランとして、前記固定装置は、前記貫通空間の底壁に固定的に取り付けられた伝動モーターを含み、前記伝動モーターの上側には前記貫通空間の頂壁と回転できるように連結された歯車軸が伝動できるように連結され、前記歯車軸には歯車が固定的に設けられ、前記貫通空間の左右両壁には前記歯車と噛合したラックが位置的に対称に且つスライドできるように連結され、左側の前記ラックの後側には前記プレートの上表面とスライドできるように連結された後側スライド板が固定的に設けられ、右側の前記ラックの下側には前記プレートの上表面とスライドできるように連結された前側スライド板が固定的にけられ、前記固定空間の内壁には昇降板がスライドできるように連結され、前記昇降板の底面と前記固定空間の底壁とが支持ばねによって連結され、前記昇降板の上側には前記固定空間の頂壁と前記扇形歯車の頂面との間でスライドする上側固定ブロックが固定的に設けられ、前記上側固定ブロックの下側には摩擦力を増加する摩擦部品が設けられ、前記ばね空間の右壁と前記固定空間の左壁との間には第一固定ブロックがスライドできるように連結され、前記第一固定ブロックの左側には前記頂壁空間を貫通し且つ前記ばね空間の底壁とスライドできるように連結されたばね板が固定的に設けられ、前記ばね板の左側面と前記ばね空間の左壁とが圧縮ばねによって連結されている。
【０００７】
優選の技術プランとして、前記調整装置は、前記本体の底面に固定的に取り付けられ且つ前記調整空間の底壁とスライドできるように連結された主スライド板を含み、前記主スライド板には前記液圧空間の片側壁と前記調整空間の片側壁との間にスライドできるように連結された調整軸が位置的に左右対称に固定的に設けられ、各前記調整軸の片側には前記液圧空間の内壁とスライドできるように連結された側スライドブロックが固定的に設けられ、前記連通空間の中には液圧モーターが固定的に設けられている。
【０００８】
優選の技術プランとして、前記調整空間の下側には底部空間が設けられ、前記底部空間の左右壁にはねじ山軸が回転できるように連結され、前記ねじ山軸が左方へ延びて前記底部空間の左壁を貫通して前記ベースの左面と回転できるように連結され、前記ねじ山軸の左側には前記ねじ山軸を回せるハンドルが固定的に設けられ、前記ねじ山軸において前記底部空間の中には位置的に左右対称となった二枚の前記ねじ山板がねじ山によって連結されている。
【０００９】
優選の技術プランとして、二枚の前記ねじ山板のねじ山が互いに逆である。
【発明の効果】
【００１０】
本願発明は、伝統的なフライス盤の一部ではなく、外部に設ける部品であるが、収縮可能なねじ板によって異なる型のフライス盤に固定でき、市販されている一部の円弧スライス加工補助装置と比べ、本願発明は、調整装置によって異なる規格の加工対象物に応じて長さを調整できるため、適応性が向上し、また、従来の手動で扇形輪の回転を制御することと比べ、モーター制御によってフライス加工の安定性が大幅に向上した。
【図面の簡単な説明】
【００１１】
下記に図１〜７をあわせて本願発明について詳しく説明し、便利に説明するために、下記の方向を以下のように規定する：図１は本願発明装置の正面図であり、以下に述べる上下左右前後の方向と図１の自身投影関係の上下左右前後の方向とが一致である。
【００１２】
【図１】図１は本願発明の全体断面の正面構成略図
【図２】図２は図１のＡの拡大図
【図３】図３は図１のＢ―Ｂ方向の断面図
【図４】図４は図１のＣ―Ｃ方向の断面図
【図５】図５は図１のＤ―Ｄ方向の断面図
【図６】図６は前側スライド板とラックとが連結されたときの正面図
【図７】図７は前側スライド板とラックとが連結されたときの右面図
【発明を実施するための形態】
【００１３】
図１〜７を参照し、本願発明である円弧フライス加工補助装置は、ベース２０を含み、前記ベース２０の上側には本体２６がスライドできるように連結され、前記本体２６の中には空き空間２７が設けられ、前記空き空間２７の上側には伝動空間２８が設けられ、前記ベース２０の上側には伝動装置１０１が設けられ、前記伝動装置１０１は前記本体２６の上側に固定的に取り付けられた固定軸４４を含み、前記固定軸４４には前記本体２６の上表面とスライドできるように連結されたプレート４２が回転できるように連結され、前記プレート４２の左側には扇形歯車５７が固定的に設けられ、前記伝動空間２８の後壁には後側モーター５６が固定的に設けられ、前記後側モーター５６の前側には前記伝動空間２８の前壁と回転できるように連結されたモーター軸３０が伝動できるように連結され、前記モーター軸３０には前記扇形歯車５７と噛み合ったねじ山歯車２９が固定的に設けられ、前記プレート４２の中には貫通空間５０が設けられ、前記扇形歯車５７の中には固定空間３６が設けられ、前記固定空間３６の左側にはばね空間３２が設けられ、前記ばね空間３２の頂壁には頂壁空間３３が設けられ、前記ばね空間３２と前記貫通空間５０との間には加工対象物を固定する固定装置１０２が設けられ、前記ベース２０の中には調整空間４５が設けられ、前記調整空間４５の左右両側には液圧空間２４が位置的に対称に設けられ、二つの前記液圧空間２４が連通空間５４によって連通され、前記調整空間４５と前記連通空間５４との間には前記本体２６の移動を制御することで異なる長さの加工対象物の加工に対応できる調整装置１０３が設けられている。
【００１４】
前記固定装置１０２は、前記貫通空間５０の底壁に固定的に取り付けられた伝動モーター５３を含み、前記伝動モーター５３の上側には前記貫通空間５０の頂壁と回転できるように連結された歯車軸５１が伝動できるように連結され、前記歯車軸５１には歯車５２が固定的に設けられ、前記貫通空間５０の左右両壁には前記歯車５２と噛合したラック４９が位置的に対称に且つスライドできるように連結され、左側の前記ラック４９の後側には前記プレート４２の上表面とスライドできるように連結された後側スライド板５８が固定的に設けられ、右側の前記ラック４９の下側には前記プレート４２の上表面とスライドできるように連結された前側スライド板６０が固定的に設けられ、前記固定空間３６の内壁には昇降板３７がスライドできるように連結され、前記昇降板３７の底面と前記固定空間３６の底壁とが支持ばね３８によって連結され、前記昇降板３７の上側には前記固定空間３６の頂壁と前記扇形歯車５７の頂面との間でスライドする上側固定ブロック３９が固定的に設けられ、前記上側固定ブロック３９の下側には摩擦力を増加する摩擦部品４０が設けられ、前記ばね空間３２の右壁と前記固定空間３６の左壁との間には第一固定ブロック３５がスライドできるように連結され、前記第一固定ブロック３５の左側には前記頂壁空間３３を貫通し且つ前記ばね空間３２の底壁とスライドできるように連結されたばね板３４が固定的に設けられ、前記ばね板３４の左側面と前記ばね空間３２の左壁とが圧縮ばね３１によって連結され、加工対象物を前記プレート４２に置き、前記伝動モーター５３を起動することで前記歯車軸５１を回転させ、そして二つの前記ラック４９が連動し互いに近付き、前記後側スライド板５８と前記前側スライド板６０が連動し互いに近付き、これで加工対象物の左右両側が固定され、そして前記上側固定ブロック３９を加工対象物の上方まで回転させ、前記上側固定ブロック３９を押すことで前記昇降板３７を降下させ、前記昇降板３７が前記固定空間３６の底壁に降下し前記第一固定ブロック３５の作用のもとで動かなくなり、これで前記昇降板３７の上下移動を制限することで加工対象物を固定し、そしてスライス盤を起動し、前記後側モーター５６を起動することで前記モーター軸３０を等速回転させ、そして前記ねじ山歯車２９が連動し回転し、前記扇形歯車５７と前記プレート４２が連動し前記固定軸４４を中心に回転し、これで円弧にスライス加工する作業が実現される。
【００１５】
前記調整装置１０３は、前記本体２６の底面に固定的に取り付けられ且つ前記調整空間４５の底壁とスライドできるように連結された主スライド板４６を含み、前記主スライド板４６には前記液圧空間２４の片側壁と前記調整空間４５の片側壁との間にスライドできるように連結された調整軸２５が位置的に左右対称に固定的に設けられ、各前記調整軸２５の片側には前記液圧空間２４の内壁とスライドできるように連結された側スライドブロック２３が固定的に設けられ、前記連通空間５４の中には液圧モーター５５が固定的に設けられ、本願発明を取り付けた後、スライス加工予定の加工対象物の長さに応じて前記本体２６の位置を調節し、加工対象物が長い場合、前記液圧モーター５５を正回転させることで左側の前記液圧空間２４の中の作動油を右側の前記液圧空間２４に送り、そして前記側スライドブロック２３と前記主スライド板４６が連動し左方へ移動し、前記本体２６が連動し左方へ移動し、加工対象物が短い場合、前記液圧モーター５５を逆回転させることで前記側スライドブロック２３と前記主スライド板４６を右方へ移動させ、そして前記本体２６が連動し右方へ移動し、これで加工対象物がエンドミルにより近くなる。
【００１６】
前記調整空間４５の下側には底部空間４７が設けられ、前記底部空間４７の左右壁にはねじ山軸２１が回転できるように連結され、前記ねじ山軸２１が左方へ延びて前記底部空間４７の左壁を貫通して前記ベース２０の左面と回転できるように連結され、前記ねじ山軸２１の左側には前記ねじ山軸２１を回せるハンドル２２が固定的に設けられ、前記ねじ山軸２１において前記底部空間４７の中には位置的に左右対称となった二枚の前記ねじ山板４８がねじ山によって連結され、スライス加工するとき、本願発明を二枚の前記ねじ山板４８によってスライス盤の片側に固定し、前記ハンドル２２を回転させることで前記ねじ山軸２１を回転させ、そして前記ねじ山板４８が互いに近付いてスライス盤の縁部を挟んで固定する。
【００１７】
二枚の前記ねじ山板４８のねじ山が互いに逆であるため、前記ねじ山軸２１が回転するときに二本の前記ねじ山軸２１が同一方向へ移動することは防止される。
【００１８】
初期状態に、上側固定ブロック３９とプレート４２が鉛直状態にあり、本体２６と主スライド板４６が中心位置にあり、二枚のねじ山板４８が開けられた状態にある。
【００１９】
加工対象物に対して円弧にスライス加工する作業を行うとき、本願発明を二枚の前記ねじ山板４８によってスライス盤の片側に固定し、前記ハンドル２２を回転させることで前記ねじ山軸２１を回転させ、そして前記ねじ山板４８が互いに近付いてスライス盤の縁部を挟んで固定し、加工対象物を前記プレート４２に置き、前記伝動モーター５３を起動することで前記歯車軸５１を回転させ、そして二つの前記ラック４９が連動し互いに近付き、前記後側スライド板５８と前記前側スライド板６０が連動し互いに近付き、これで加工対象物の左右両側が固定され、そして前記上側固定ブロック３９を加工対象物の上方まで回転させ、前記上側固定ブロック３９を押すことで前記昇降板３７を降下させ、前記昇降板３７が前記固定空間３６の底壁に降下し前記第一固定ブロック３５の作用のもとで動かなくなり、これで前記昇降板３７の上下移動を制限することで加工対象物を固定し、そしてスライス盤を起動し、前記後側モーター５６を起動することで前記モーター軸３０を等速回転させ、そして前記ねじ山歯車２９が連動し回転し、前記扇形歯車５７と前記プレート４２が連動し前記固定軸４４を中心に回転し、これで円弧にスライス加工する作業が実現され、本願発明を取り付けた後、スライス加工予定の加工対象物の長さに応じて前記本体２６の位置を調節し、加工対象物が長い場合、前記液圧モーター５５を正回転させることで左側の前記液圧空間２４の中の作動油を右側の前記液圧空間２４に送り、そして前記側スライドブロック２３と前記主スライド板４６が連動し左方へ移動し、前記本体２６が連動し左方へ移動し、加工対象物が短い場合、前記液圧モーター５５を逆回転させることで前記側スライドブロック２３と前記主スライド板４６を右方へ移動させ、そして前記本体２６が連動し右方へ移動し、これで加工対象物がエンドミルにより近くなる。
【００２０】
以上に述べたのはただ本願発明の具体的な実施方式で、本願発明の保護範囲はここに限らないである。全部の創造的な労働を通じなく思いついた変化と取替は本願発明の保護範囲にカバーされる。だから本願発明の保護範囲は権利要求書が限定される保護範囲を標準とする。
【要約】      （修正有）【課題】精度よく、効率よく円弧のフライス加工が行える補助装置を提供する。【解決手段】ベース２０を含み、ベースの上側には本体２６がスライドできるように連結され、本体の中には空き空間２７が設けられ、空き空間の頂壁には伝動空間２８が設けられ、伝動空間と空き空間との間には伝動装置１０１が設けられ、伝動装置は本体の上側に固定的に取り付けられた固定軸４４を含み、固定軸には本体の上表面とスライドできるように連結されたプレート４２が回転できるように連結され、プレートの左側には扇形歯車５７が固定的に設けられ、伝動空間の後壁には後側モーターが固定的に設けられている。【選択図】図１【図１】
0006826262.tif 000002
【図２】
0006826262.tif 000003
【図３】
0006826262.tif 000004
【図４】
0006826262.tif 000005
【図５】
0006826262.tif 000006
【図６】
0006826262.tif 000007
【図７】
0006826262.tif 000008